【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
複合サイクル発電プラントに関連する動作パラメータを受信するステップ（４０５）であって、前記複合サイクル発電プラントはガスタービン（１１０）および蒸気タービン（１２０）を備え、前記蒸気タービン（１２０）はクラッチ（１６０）を介して選択的に発電機（１３０）に結合される一方、前記ガスタービン（１１０）は前記発電機（１３０）に永続的に結合される、受信するステップ（４０５）と、
前記クラッチ（１６０）の係合状態を受信するステップ（４１０）と、
前記動作パラメータにおける単純サイクル発電プラントのベース負荷を示す第１のデータを受信するステップ（４１５）と、
前記動作パラメータにおける複合サイクル発電プラントのベース負荷を示す第２のデータを受信するステップ（４２０）と、
前記係合状態に少なくとも部分的に基づいて、前記第１のデータまたは前記第２のデータを選択するステップ（４２５）と、
ベース負荷値を求めるために前記選択されたデータに少なくとも部分的に基づいてベース負荷を推定するステップ（４３０）であって、前記推定するステップ（４３０）は、較正オフセットを計算するステップを含み、前記較正オフセットは、前記複合サイクル発電プラントの実際の電力出力と前記ベース負荷値との差分である、ステップと、
前記複合サイクル発電プラントのベース負荷条件を検知するステップと、
前記較正オフセットと前記動作パラメータに少なくとも部分的に基づいて前記ベース負荷値を較正するステップ（４３５）であって、前記較正オフセットは、クラッチの係合状態が未変更のままである限りは、前記複合サイクル発電プラントの部分負荷条件およびベース負荷条件に対して有効である、ステップと、
を含む、方法。
【請求項２】
前記クラッチ（１６０）との係合状態の変化を決定するステップと、
前記決定に少なくとも部分的に基づいて、前記ベース負荷推定の前記較正をリセットするステップと、
をさらに備え、
前記リセットするステップは、
少なくとも前記係合状態の変化の決定に基づいて、前記第１のデータまたは前記第２のデータを選択するステップと、
前記ベース負荷値を求めるために、再選択された前記データに少なくとも基づいてベース負荷を再推定するステップであって、該再推定するステップは、前記較正オフセットを計算するステップを含む、ステップと、
前記複合サイクル発電プラントの前記ベース負荷値を検知するステップと、
前記検知するステップに応じて、前記較正オフセットと前記動作パラメータに少なくとも基づいて前記ベース負荷値を較正するステップと、
を含む、
請求項１に記載の方法。
【請求項３】
前記推定するステップ（４３０）は、
前記選択されたデータを使用してベース負荷値を計算するステップであって、前記計算するステップは前記動作パラメータの補間に少なくとも部分的に基づく、計算するステップと、
ベース負荷条件での前記複合サイクル発電プラントの実際の電力出力を受信するステップと、
前記ベース負荷値および実際の電力出力を使用して較正オフセットを計算するステップであって、前記較正オフセットは前記ベース負荷値および実際の電力出力との差分である、計算するステップと、
前記動作パラメータを使用して前記ベース負荷値を連続的に計算するステップと、
を含む、請求項１に記載の方法（４００）。
【請求項４】
前記ベース負荷は前記較正オフセットの減算後の前記ベース負荷値を含む、請求項３に記載の方法（４００）。
【請求項５】
前記ベース負荷は前記複合サイクル発電プラントの最大電力出力である、請求項１に記載の方法（４００）。
【請求項６】
コントローラ（７００）と、
前記コントローラ（７００）に通信可能に結合されたプロセッサ（７５０）であって、
複合サイクル発電プラントと関連付けられた動作パラメータを受信し（４０５）、前記複合サイクル発電プラントはガスタービン（１１０）および蒸気タービン（１２０）を備え、前記蒸気タービン（１２０）はクラッチ（１６０）を介して選択的に発電機（１３０）に結合される一方、前記ガスタービン（１１０）は永続的に前記発電機（１３０）に結合され、
前記クラッチ（１６０）の係合状態を受信し（４１０）、
前記動作パラメータにおける単純サイクル発電プラントのベース負荷を示す第１のデータを受信し（４１５）、
前記動作パラメータにおける複合サイクル発電プラントのベース負荷を示す第２のデータを受信し（４２０）、
前記係合状態に少なくとも部分的に基づいて、前記第１のデータまたは前記第２のデータを選択し（４２５）、
ベース負荷値を求めるために前記選択されたデータに少なくとも部分的に基づいてベース負荷を推定し（４３０）、前記複合サイクル発電プラントの実際の電力出力と前記ベース負荷値との差分である較正オフセットを計算し、
前記複合サイクル発電プラントのベース負荷条件を検知し、
前記検知に応じて、または前記検知後に、前記較正オフセットと前記動作パラメータに少なくとも部分的に基づいて前記ベース負荷推定を較正する（４３５）、
ように構成されたプロセッサ（７５０）と、
を備え、
前記較正オフセットは、クラッチの係合状態が未変更のままである限りは、前記複合サイクル発電プラントの部分負荷条件およびベース負荷条件に対して有効である、
システム（１００）。
【請求項７】
前記第１のデータは非係合されている前記クラッチ（１６０）に少なくとも部分的に基づいて選択される、請求項６に記載のシステム（１００）。
【請求項８】
前記第２のデータは係合されている前記クラッチ（１６０）に少なくとも部分的に基づいて選択される、請求項６に記載のシステム（１００）。
【請求項９】
前記第１のデータは可能性のある周囲条件および前記発電機（１３０）から非係合の前記蒸気タービン（１２０）のベース負荷との相関関係を含み、
前記第２のデータは前記可能性のある周囲条件および前記発電機（１３０）に係合の前記蒸気タービン（１２０）の前記ベース負荷との相関関係を含む、
請求項６に記載のシステム（１００）。
【請求項１０】
前記動作パラメータは周囲温度、発電機電力出力、および周囲圧力の１つ以上を含む、請求項６に記載のシステム（１００）。
【請求項１１】
前記プロセッサ（７５０）は、
前記クラッチ（１６０）の係合状態の変化を決定し、
前記決定に少なくとも部分的に基づいて、前記ベース負荷推定の較正をリセットする、
ようにさらに構成され、
前記リセットは、
少なくとも前記係合状態の変化の決定に基づいて、前記第１のデータまたは前記第２のデータを選択するステップと、
前記ベース負荷値を求めるために、再選択された前記データに少なくとも基づいてベース負荷を再推定するステップであって、該再推定するステップは、前記較正オフセットを計算するステップを含む、ステップと、
前記複合サイクル発電プラントの前記ベース負荷条件を検知するステップと、
前記検知するステップに応じて、前記較正オフセットと前記動作パラメータに少なくとも基づいて前記ベース負荷値を較正するステップと、
を含む、
請求項６に記載のシステム（１００）。
【請求項１２】
前記ベース負荷は前記較正オフセットの減算後のベース負荷値を含む、請求項６に記載のシステム（１００）。
【請求項１３】
前記推定（４３０）は、
前記選択されたデータを使用してベース負荷値を計算し、前記計算は前記動作パラメータの補間に少なくとも部分的に基づき、
ベース負荷条件での前記複合サイクル発電プラントの実際の電力出力を受信するステップと、
前記ベース負荷値および前記実際の電力出力を使用して較正オフセットを計算するステップであって、前記較正オフセットは前記ベース負荷値および前記実際の電力出力との差分である、ステップと、
前記動作パラメータを使用して前記ベース負荷値を連続的に計算するステップと、
を含む、請求項６に記載のシステム（１００）。
【請求項１４】
複合サイクル発電システム（１００）であって、
発電機（１３０）と、
前記発電機（１３０）に永続的に結合されるガスタービン（１１０）と、
前記発電機（１３０）に選択的に結合される蒸気タービン（１２０）と、
前記蒸気タービン（１２０）を前記発電機（１３０）に選択的に結合するように構成されたクラッチ（１６０）と、
前記ガスタービン（１１０）、前記蒸気タービン（１２０）、および前記発電機（１３０）と通信するコントローラ（７００）と、
前記コントローラ（７００）と通信するプロセッサ（７５０）であって、
前記複合サイクル発電システム（１００）の周囲条件を受信し（４０５）、
前記クラッチ（１６０）の係合状態を受信し（４１０）、
前記周囲条件での単純サイクル発電プラントのベース負荷を示す単純サイクル計算を受信し（４１５）、
前記周囲条件での複合サイクル発電プラントのベース負荷を示す複合サイクル計算を受信し（４２０）、
前記係合状態に少なくとも部分的に基づいて、前記単純サイクル計算または前記複合サイクル計算を選択し（４２５）、
前記選択された計算を使用してベース負荷値を決定し（４３０）、
ベース負荷状態における前記発電機の実際の電力出力を受信し（４３０、４３５）、
前記ベース負荷値および前記実際の電力出力を使用して較正オフセットを計算し（４３０、４３５）、前記較正オフセットは前記ベース負荷値および前記実際の電力出力との差分であり、
前記実際の周囲条件を使用して前記ベース負荷値を連続的に計算し（４３０、４３５）、
前記複合サイクル発電プラントのベース負荷条件を検知し、
前記検知に応じて、または前記検知後に、較正されたベース負荷を取得するために前記較正オフセットを使用して前記ベース負荷値を較正し（４３５）、前記較正されたベース負荷は前記較正オフセットの減算後のベース負荷値である、
ように構成されるプロセッサ（７５０）と、
を備え、
前記較正オフセットは、クラッチの係合状態が未変更のままである限りは、前記複合サイクル発電プラントの部分負荷条件およびベース負荷条件に対して有効である、
複合サイクル発電システム（１００）。
【請求項１５】
前記プロセッサ（７５０）は、
前記クラッチ（１６０）との係合状態の変化を決定し、
前記決定に少なくとも部分的に基づいて、前記較正をリセットし、
少なくとも前記係合状態の変化の決定に基づいて、前記単純サイクル計算または前記複合サイクル計算を選択し、
選択された計算を用いて前記ベース負荷値を決定し、
前記ベース負荷値と前記実際の電力出力とを用いて較正オフセットを計算し、
前記複合サイクル発電プラントの前記ベース負荷条件を検知し、
前記検知に応じて、または前記検知後に、較正されたベース負荷を取得するために前記較正オフセットを使用して前記ベース負荷値を較正する、
ようにさらに構成される、請求項１４に記載の複合サイクル発電システム（１００）。